(57)【要約】  様々な燐光荷電システムが燐光を発する車輪を荷電するために提供される。車輪(２０)は夜間あるいは低照明で動作能力を有する乗り物のフレーム(１２)に取り付けられる。燐光荷電システムは、車輪の燐光を発する部分に紫外線光(７０)などの電磁波を放射し、そこから続いて燐光放出を起こさせる。
2009508762.tif 000002
【特許請求の範囲】
【請求項１】
車輪の付いた乗り物であって、
フレームと、
燐光を発する第１および第２側面を有し、前記フレームに取り付けられた少なくとも１つの回転可能な車輪と、
前記フレームに接続され、前記燐光を発する第１および第２側面に電磁波を放射することによって、前記燐光を発する第１および第２側面を荷電するように適合されている燐光荷電システムと、
を有することを特徴とする車輪の付いた乗り物。
【請求項２】
前記燐光荷電システムは、
前記燐光を発する第１および第２側面に入射するように向けられた電磁波を放射することにより、前記燐光を発する第１および第２側面をそれぞれ荷電するように適合された第１と第２のエミッタと、
前記燐光荷電システムに電力を供給する手段と、
を有することを特徴とする請求項１に記載の車輪の付いた乗り物。
【請求項３】
前記燐光荷電システムは、更に、前記電力を供給する手段と、前記第１と第２のエミッタとの間に電気的に接続して配置されたスイッチとを有することを特徴とする請求項２に記載の車輪の付いた乗り物。
【請求項４】
前記車輪は、タイヤと、リムと、ハブとを有することを特徴とする請求項１に記載の車輪の付いた乗り物。
【請求項５】
前記タイヤは、前記タイヤ中に一体成形された燐光を発する物質を有することを特徴とする請求項４に記載の車輪の付いた乗り物。
【請求項６】
前記燐光荷電システムは、電磁波放射が前記燐光を発する第１および第２側面に向くように前記フレームに接続された複数の発光ダイオードを含み、それにより前記燐光を発する第１および第２側面に電磁波放射が入射することを特徴とする請求項１に記載の車輪の付いた乗り物。
【請求項７】
前記複数の発光ダイオードは、主として１００〜４０５ｎｍの範囲内の光を放射することを特徴とする請求項１に記載の車輪の付いた乗り物。
【請求項８】
前記電力を供給する手段は、バッテリーと発電機とからなるグループのうちの少なくとも１つを含むことを特徴とする請求項１に記載の車輪の付いた乗り物。
【請求項９】
前記燐光荷電システムは、前記フレームで支えられた、前記車輪に対して動くことができるエレメントに取り付けられたエミッタを含むことを特徴とする請求項１に記載の車輪の付いた乗り物。
【請求項１０】
前記エレメントは、ブレーキパッドと、ブレーキキャリパと、ブレーキパッドポストとからなるグループから選択されることを特徴とする請求項９に記載の車輪の付いた乗り物。
【請求項１１】
前記燐光荷電システムが、前記車輪のためのブレーキ用アセンブリの一部に取り付けられたエミッタを含むことを特徴とする請求項１に記載の車輪の付いた乗り物。
【請求項１２】
前記一部がブレーキパッドと、ブレーキキャリパと、ブレーキブースターと、ブレーキパッドポストと、ブレーキパッドハウジングと、ブレーキポストとからなるグループから選択されることを特徴とする請求項１１に記載の車輪の付いた乗り物。
【請求項１３】
前記燐光荷電システムが、フェンダーと、フォークと、チェインガードと、スウィングアームと、ショックとからなるグループから選択された、車輪の付いた乗り物の部品に取り付けられたエミッタを有することを特徴とする請求項１１に記載の車輪の付いた乗り物。
【請求項１４】
更に、前記車輪から離れる方向に向けられた複数の外に光を放射する構造を有することを特徴とする請求項１に記載の車輪の付いた乗り物。
【請求項１５】
前記外に光を放射する構造と前記燐光荷電システムとが共通の電源によって電力を供給されることを特徴とする請求項１４に記載の車輪の付いた乗り物。
【請求項１６】
前記フレームが自転車のフレームであることを特徴とする請求項１に記載の車輪の付いた乗り物。
【請求項１７】
前記フレームがオートバイのフレームであることを特徴とする請求項１に記載の車輪の付いた乗り物。
【請求項１８】
前記フレームがベビーカーのフレームであることを特徴とする請求項１に記載の車輪の付いた乗り物。
【請求項１９】
前記車輪が回転し前記燐光を発する側面が前記燐光荷電システムによって荷電すると、前記燐光を発する側面が目に見える輪を形成することを特徴とする請求項１に記載の車輪の付いた乗り物。
【請求項２０】
前記燐光荷電システムは、
前記燐光を発する第１および第２側面に紫外線をそれぞれ放射することによって、前記燐光を発する第１および第２側面を荷電するように適合された第１と第２の紫外線エミッタと、
前記燐光荷電システムに電力を供給するためのバッテリーと、
前記電力を供給する手段と前記第１および第２のエミッタとの間で電気的に接続して配置されたスイッチとを有し、
前記フレームは人間が動力を供給する乗り物のフレームであることを特徴とする請求項１に記載の車輪の付いた乗り物。
【請求項２１】
車輪の付いた乗り物であって、
フレームと、
それぞれがほぼ同じ方向に面している少なくとも１つの燐光を発する側面を有し、前記フレームに取り付けられた第１と第２の回転可能な車輪と、
前記フレームに接続され、第１と第２のエミッタを含む燐光荷電システムと、を有し、
前記第１のエミッタは、前記第１の車輪の前記燐光を発する側面に電磁波を放射することによって前記第１の車輪の前記燐光を発する側面を荷電するように配置され、
前記第２のエミッタは、前記第２の車輪の前記燐光を発する側面に電磁波を放射することによって前記第２の車輪の前記燐光を発する側面を荷電するように配置されることを特徴とする車輪の付いた乗り物。
【請求項２２】
前記燐光荷電システムは更に、
前記燐光荷電システムに電力を供給する手段と、
前記第１と第２のエミッタとの間に電気的に接続して配置されたスイッチとを有することを特徴とする請求項２１に記載の車輪の付いた乗り物。
【請求項２３】
前記第１と第２のエミッタは、複数の発光ダイオードを含むことを特徴とする請求項２１に記載の車輪の付いた乗り物。
【請求項２４】
前記複数の発光ダイオードは、１００〜４０５ｎｍの範囲内にピーク波長を有することを特徴とする請求項２３に記載の車輪の付いた乗り物。
【請求項２５】
前記車輪が回転し、前記燐光を発する側面が前記燐光荷電システムによって荷電すると、前記第１および第２の車輪の前記燐光を発する側面が目に見える輪を形成することを特徴とする請求項２１に記載の車輪の付いた乗り物。
【請求項２６】
車輪の付いた乗り物であって、
フレームと、
少なくとも第１の燐光を発する側面を有し、前記フレームに取り付けられた少なくとも１つの回転可能な車輪と、
前記フレームに操作可能に接続されたブレーキアセンブリとを有し、
前記ブレーキアセンブリが、
車輪に対して移動可能であり前記車輪の回転を遅らせるように操作可能な少なくとも１人のブレーキパッドと、
前記第１の燐光を発する側面を荷電して、それに続いて燐光を発生させるために、そこから放射された電磁波が前記車輪の前記第１の燐光を発する側面に向かうように配置されたエミッタと、
前記エミッタに電力を供給する手段とを有することを特徴とする車輪の付いた乗り物。
【請求項２７】
前記ブレーキアセンブリはさらに、ブレーキブースターエレメントを有し、前記エミッタは前記ブレーキブースターエレメント中に配置されていることを特徴とする請求項２６に記載の車輪の付いた乗り物。
【請求項２８】
前記ブレーキアセンブリはさらに、前記車輪に対して外側寄りに配置されたブレーキパッドポストを含み、前記エミッタは前記ブレーキパッドポストによって支えられていることを特徴とする請求項２６に記載の車輪の付いた乗り物。
【請求項２９】
前記エミッタは、前記ブレーキパッドとともに移動することを特徴とする請求項２６に記載の車輪の付いた乗り物。
【請求項３０】
前記エミッタが前記ブレーキパッド中に配置されていることを特徴とする請求項２９に記載の車輪の付いた乗り物。
【請求項３１】
車輪の付いた乗り物であって、
フレームと、
少なくとも第１の燐光を発する側面を有し、前記フレームに取り付けられた少なくとも１つの回転可能な車輪と、
前記車輪に近接する前記フレームに接続されたフェンダーアセンブリとを有し、
前記フェンダーアセンブリは、
前記第１の燐光を発する側面を荷電し、それに続いて燐光を発生するために、放射された電磁波が前記車輪の前記第１の燐光を発する側面に向かい、それによって前記車輪の前記第１の燐光を発する側面に入射するように配置されエミッタと、
前記エミッタに電力を供給する手段とを有することを特徴とする車輪の付いた乗り物。
【請求項３２】
前記エミッタは、発光ダイオードを含むことを特徴とする請求項３１に記載の車輪付きの乗り物。
【請求項３３】
前記発光ダイオードは、１００〜４０５ｎｍの範囲内にピーク波長を有することを特徴とする請求項２３に記載の車輪の付いた乗り物。
【請求項３４】
前記エミッタに電力を供給する手段は、前記フェンダーアセンブリによって支えられていることを特徴とする請求項３１に記載の車輪の付いた乗り物。
【請求項３５】
更に、前記エミッタと前記エミッタに電力を供給する手段との間の連結を制御するための操作可能な光センサを有することを特徴とする請求項３１に記載の車輪の付いた乗り物。
【発明の詳細な説明】
【技術分野】
【０００１】
本発明は、夜間または低照明条件下での車輪の付いた乗り物の安全に関し、特に、車輪が可視光を放射する車輪構造の燐光を発する部品を励起する紫外線光の放射構造に関する。
【背景技術】
【０００２】
車輪付きの乗り物は、側面に照明構造を十分に備えていないことが多い。側面照明は、夜間に乗り物の運転手の安全に非常に重要であり、特に、自転車、自転車トレーラ、モペット、オートバイ、スクータ、ジョギング・ベビーカー、ベビーカー、車椅子、および自動車に利用可能な強力な照明システムを通常提供しない他の乗り物の場合に重要である。
【発明の開示】
【発明が解決しようとする課題】
【０００３】
この問題を解決するために利用可能な様々な固定された点照明システムがあるが、一連の欠点がある。多くのシステムは、数ミリメートルから数インチの領域の非常に小さい光を生成する領域を提供するので、自動車の運転者の注意を引くのは全く不十分である。回転する車輪に取り付けられたタイヤフライや反射鏡などの安全構造の場合には、ターンするときに製品の動きで「サイクロイド運動」と呼ばれる錯視が生み出され、その乗り物は実際の運動に対して人をだますような速度とコースを持つように見えるかもしれない。このように、代替の安全な照明アプローチ、オプションに先行技術の欠点の１つまたはそれ以上を解決する有利な代替のアプローチに対する必要性がある。
【課題を解決するための手段】
【０００４】
発明の要約
本発明は、燐光を発する車輪の輝きを作るために、通常必要とされる日光の代りに燐光を荷電する人工光源を提供する。人工光源は、車輪の燐光を発する表面のすぐ近くに配置され、電磁波を燐光を発する表面に向けてその表面を荷電し、それに続いて燐光を発生させる。
【０００５】
１つの実施例では、車輪の付いた乗り物は、フレームと、燐光を発する第１および第２側面を有し、前記フレームに取り付けられた少なくとも１つの回転可能な車輪と、前記フレームに接続され、前記燐光を発する第１および第２側面に電磁波を放射することによって、前記燐光を発する第１および第２側面を荷電するように適合されている燐光荷電システムと、を有する。前記燐光荷電システムは、前記燐光を発する第１および第２側面に入射するように向けられた電磁波を放射することにより、前記燐光を発する第１および第２側面をそれぞれ荷電するように適合された第１と第２のエミッタと、前記燐光荷電システムに電力を供給する手段とを有し得る。前記燐光荷電システムは、更に、前記電力を供給する手段と、前記第１と第２のエミッタとの間に電気的に接続して配置されたスイッチとを有し得る。前記車輪は、タイヤと、リムと、ハブとを有し得る。エミッタは、発光ダイオードまたは蛍光管または他の形態であり得る。エミッタのための電力は、バッテリー、および/または、発電機などの知られている電源であり得る。車輪の付いた乗り物は、いくつかの実施例では、自転車、ベビーカー、またはオートバイであり得る。乗り物は、車輪から遠くに向けられた複数の外に光を放射する構造を更に含み得る、この構造は、オプションに、燐光荷電システムと共通の電源で電力を供給され得る。この実施例では、燐光荷電システムは、１つの燐光を発する車輪の両側(左、右)を荷電する。所望であれば、燐光荷電システムは車輪の回転表面もまた荷電し得る。
【０００６】
別の実施例では、車輪の付いた乗り物は、フレームと、それぞれがほぼ同じ方向を面している少なくとも１つの燐光を発する側面を有し、前記フレームに取り付けられた第１と第２の回転可能な車輪と、前記フレームに接続され、第１と第２のエミッタを含む燐光荷電システムと、を有し、前記第１のエミッタは、前記第１の車輪の前記燐光を発する側面に電磁波を放射することによって前記第２の車輪の前記燐光を発する側面を荷電するように配置され、前記第２のエミッタは、前記第２の車輪の前記燐光を発する側面に電磁波を放射することによって前記第２の車輪の前記燐光を発する側面を荷電するように配置される。前記燐光荷電システムは更に、前記燐光荷電システムに電力を供給する手段とエミッタとの間に電気的に接続して配置されたスイッチとを有する。前記第１と第２のエミッタは複数の発光ダイオードの形態を取り、有利には、１００〜４０５ｎｍの範囲内にピーク波長を有する。前記車輪が回転し、前記燐光を発する側面が前記燐光荷電システムによって荷電すると前記第１および第２車輪の前記燐光を発する側面が目に見える輪を形成する。
【０００７】
別の実施例では、車輪の付いた乗り物は、フレームと、少なくとも第１の燐光を発する側面を有し、前記フレームに取り付けられた少なくとも１つの回転可能な車輪と、前記フレームに操作可能に接続されたブレーキアセンブリとを有し、前記ブレーキアセンブリが、車輪に対して移動可能であり前記車輪の回転を遅らせるように操作可能な少なくとも１人のブレーキパッドと、前記第１の燐光を発する側面を荷電して、それに続いて燐光を発生させるために、そこから放射された電磁波が前記車輪の前記第１の燐光に向かうように配置されたエミッタと、前記エミッタに電力を供給する手段とを有する。前記ブレーキアセンブリはさらに、ブレーキブースターエレメントを有し、前記エミッタは前記ブレーキブースターエレメント中に配置されている。代替として、前記ブレーキアセンブリはさらに、前記車輪に対して外側寄りに配置されたブレーキパッドポストを含み、前記エミッタは前記ブレーキパッドポストによって支えられている。前記エミッタは、前記ブレーキパッドとともに移動し得る。
【０００８】
別の実施例では、車輪の付いた乗り物は、フレームと、少なくとも第１の燐光を発する側面を有し、前記フレームに取り付けられた少なくとも１つの回転可能な車輪と、前記車輪に近接する前記フレームに接続されたフェンダーアセンブリとを有し、前記フェンダーアセンブリは、前記第１の燐光を発する側面を荷電し、それに続いて燐光を発生させるために、放射された電磁波が前記車輪の前記第１の燐光を発する側面に向かい、それによって前記車輪の前記第１の燐光を発する側面に入射するように配置されたエミッタと、前記エミッタに電力を供給する手段とを有する。前記エミッタは、発光ダイオードを含み、有利には、１００〜４０５ｎｍの範囲内にピーク波長を有する。１つまたはそれ以上のバッテリなどの前記エミッタに電力を供給する手段は、前記フェンダーアセンブリによって支えられている。光センサが含まれ、光センサは、前記エミッタと前記エミッタに電力を供給する手段との間の連結を制御するために操作可能である。
【発明を実施するための最良の形態】
【０００９】
［発明の詳細な説明］
側面照明における不十分な大きさの照明とサイクロイド運動の２つの欠点を克服するための解決策は、それ自身で光を作り出す車輪を使用することである。この能力を有する車輪は、多くの光源が溢れた人通りの多い場所などの注意を非常に散漫になりやすい道路を含む状況だけでなく、長い距離にわたってより効率的に注意を引くための十分に大きな光を生成する領域を持っているだろう。
【００１０】
光を生成する車輪を生産する１つのアプローチは、燐光を発する(暗がりで光る)車輪、特にタイヤである。そのようなタイヤは、外部表面に燐光を発する顔料を含む、またはコーティングされているかもしれない。通常、これらのタイヤを光らせる顔料は、活性となって光を生成する前に、荷電するために紫外線に晒す必要がある。同時に、これらの顔料は、荷電に晒されている時間から数秒〜数分間以上、強い荷電を保持しない。したがって、日光が荷電源として使用される場合、燐光を発する顔料内に貯蔵されたエネルギーは、外が十分に暗くなり、生成物が最も必要とされる環境にある時までにほとんど放出されてしまうであろう。したがって、その結果、得られる安全照明の効果は大いに減少する。このように、本発明は、紫外線発光ダイオード(ＬＥＤ)などの人工的な燐光荷電源を使用して、その放射された電磁エネルギー(例えば、紫外線および近紫外光)を燐光を発する車輪上に向けてそれらを荷電し、それに続いて燐光を放出させることを意図する。簡単のために、以下では、一般に自転車の文脈において記載する。しかしながら、様々な実施例は、ジョギングベビーカー、ベビーカー、車椅子、スクータ、モペット、オートバイ、自転車トレーラなどの他の自動車でない車輪の付いた乗り物で使用され得る。
【００１１】
図１は本発明の１つの実施例を示している。図１において、自転車１０は、選択的に燐光を発する車輪２０の両側面２０ａ、２０ｂ上に紫外線を放射する燐光荷電システム５０を備えている。一般に、自転車１０は、メインフレーム１１、フォーク１２、ヘッドパイプ１３、ハンドル１４、オプションの１つまたはそれ以上のフェンダー１６と、およびオプションのブレーキ用アセンブリ３０を含んでいるフレームを含んでいる。メインフレーム１１は、通常、接合された管状部材の形態を取り、通常、後輪２０を回転可能に取り付ける位置を提供する。フォーク１２は、ヘッドパイプ１３を介してメインフレーム１１に回転可能に取り付けられ、ハンドル１４はフォーク構造の先端に付けられている。前輪２０はフォーク１２に回転可能に取り付けられる。フェンダー３０は、車輪２０の上方に配置され、適切な取り付けボス１７あるいは当技術分野で知られていた他の手段を介してメインフレーム１１あるいはフォーク１２に取り付けられる。ブレーキ用アセンブリ３０は、通常、車輪２０から横方向の内および外に動くキャリパー３２を含んでいる。キャリパー３２は、所望により、中央引張りタイプあるいは側面引張りタイプであり得る。ブレーキパッド３６は、そこで、通常は適切な取り付けポスト３８を介して、動くようにキャリパー３２上に取り付けられている。
【００１２】
図１の燐光荷電システム５０は、電源６０、制御ユニット５２、紫外線エミッタ７０、および関連した連結ワイヤ５３を含んでいる。電源６０は、制御ユニット５２に収容されているバッテリパック６２の形態を取る。制御ユニット５２は、この実施例ではハンドル１４に取り付けられている、紫外線エミッタ７０のオン・オフ状態を制御するスイッチ５４を含んでいる。紫外線エミッタ７０は、この実施例では、複数の紫外線発光ダイオード７２の形態を取る。発光ダイオード７２は、左側の発光ダイオード７２が車輪２０の左側２０ａにその放射された光線を照射し、右側の発光ダイオード７２が車輪２０の右側２０ｂにその放射された光線を照射するように、フォーク１２の内部表面に配置される。有利には、発光ダイオード７２は、フォーク１２の内部に取り付けられているが、そこからわずかに外側に突き出ている。ワイヤ５６を介して発光ダイオード７２に電力が供給され、ワイヤは、フォーク１２の内部構造からサイクルフレームのヘッドパイプ１３を通って、ハンドル軸１５を通って、適切にグラメットされたワイヤポートを通って、制御ユニット５２まで延びているものとして図１に示されている。様々なワイヤ５６、制御ユニット５２、および同様のものは、ケーブルひも、ねじって調節可能なストラップ、粘着性、および/または、合成のひもや、ゴムバンドなどの適切なストラップ５９を使用して取り付けられるまたは固定され得る。
【００１３】
作動スイッチ５４は、電流をバッテリパック６２からワイヤ５６を通して発光ダイオード７２まで流す。次に、複数のＬＥＤ７２は車輪２０のそれぞれの側面２０ａ、２０ｂに向けて紫外線光を放射し、それにより、車輪２０の燐光を発する表面２０ａ、２０ｂを励起する。このように、図１の実施例では、燐光荷電システム５０は、紫外線光を燐光を発する車輪２０の両面２０ａ、２０ｂに向ける。次に、車輪２０の励起された領域は可視光を放射し、車輪２０が回転すると、目に見える円の１つが自転車１０の各側面から見えるように、目に見える円を有利に形成する。
【００１４】
図２の実施例において、燐光荷電システム５０は、２個の異なるハウジング６６中に統合されており、各ハウジングで、紫外線エミッタ７０(ＬＥＤ７２など)、電源(バッテリー６２など)、および制御部５２(スイッチ５４など)を持っている。ハウジング６６は、有利には、調節可能なストラップ５９でフォーク１２に取り付けられたプラスチックあるいは合成部品ハウジングの形態を取る。少なくとも１つの紫外線エミッタがあり、燐光を発する車輪２０の各側面２０ａ、２０ｂに対して、その放射する紫外線光を車輪２０の側面上に向ける。したがって、図２に見られるように、１つの部品のハウジング６６は、各フォーク１２上に配置され、自転車１０の両側から目に見える燐光の輝きを発生させるために燐光を発する車輪２０の両側２０ａ、２０ｂに紫外線光を向ける。
【００１５】
図３の実施例において、紫外線エミッタ７０は、発光ダイオード７２よりむしろ蛍光管７４の形態を取る。この実施例では、蛍光管７４は、車輪２０の各側面２０ａ、２０ｂ上に配置された少なくとも１つの蛍光管７４を持ち、必要な燐光荷電エネルギーを有利に発生させるために使用される。図３の実施例において、蛍光管７４は、フロントフェンダ１６の裏面に取り付けられる。さらに、図３の燐光荷電システム５０の制御ユニット５２部分は、フェンダー１６に取り付けられた運動/光センサ５５を含んでいる。この運動/光センサ５５は、概念的に、蛍光管７４のオン・オフ状態を制御するためのスイッチとして作動する。従って、暗闇または低照明において自転車１０を動かすと、フェンダー１６はセンサー５５を活性化させて、蛍光管７４の電力回路を完成させる。伝統的な手動スイッチと対照的に運動/光センサ５５を使用することによって、蛍光管は夜または他の低照明条件のみで作動するように限定され得る。
【００１６】
図４の実施例では、燐光荷電システム５０のエミッタ部分７０は、ブレーキアセンブリ３０の一部に取り付けられる。図４では、複数の紫外線発光ダイオード７２は、ブレーキキャリパセット３２中に取り付けられ、そこから放射される紫外線光を燐光を発する車輪２０の側面２０ａ、２０ｂに向けるように配置されている。したがって、キャリパー３２が動くとき、発光ダイオード７２は車輪２０に向かうおよび離れるように動く。必要な電力ワイヤ５６は、部分的に内部を通って、あるいは、所望の場合に外部を通って、キャリパー３２まで送られ得る。上記のように、スイッチ５４が選択的に発光ダイオード７２を、この実施例ではバッテリパック６２の形態を取る、電源６０に接続する。
【００１７】
図５に示す別の実施例では、発光ダイオード７２はブレーキ用アセンブリ３０の別の一部に、本実施例ではいわゆるブレーキブースター３４に取り付けられる。ブレーキブースター３４は、通常は、Ｕ字形状の部品であって、キャリパー３２のためにピボット点の位置を安定させるのを助ける。通常は、ブレーキブースター３４は、取り付けるポート群を通ってキャリパー３２を制動するために部分的に重ねて接続する。電力は、上記説明されたように供給され制御される。
【００１８】
図６に示す別の実施例では、発光ダイオード７２はブレーキ用アセンブリ３０の別の一部に、本実施例では、ブレーキパッドハウジング３５に取り付けられる。ブレーキパッドハウジング３５は、従来のように、ブレーキパッド取り付けポスト３８を通してそれぞれブレーキキャリパ３２に取り付けられる。電力は、ブレーキパッドハウジング３５中に取り付けられた対応するバッテリー６２から発光ダイオード７２に供給され、ブレーキパッド取り付けポスト３８の端部に配置されたそれぞれのスイッチ５４によって制御され得る。
【００１９】
図７に示す別の実施例では、発光ダイオード７２はブレーキ用アセンブリ３０の別の一部に、本実施例では、ブレーキパッドポスト取り付けクリップ３７に取り付けられる。ブレーキパッドポスト取り付けクリップ３７はブレーキパッド取り付けるポスト３８に取り付ける。ブレーキパッド取り付けクリップ３７は、ブレーキパッドハウジング３５がブレーキパッド取り付けポスト３８を使用しながら従来のやり方で取り付けられるとき、キャリパー３２と共に動くように固定されている。電力は、上記説明されたように供給され制御される。
【００２０】
図８は２個の異なる車輪２０の同じ側面に紫外線光を向ける燐光荷電システム５０を示している。図８の燐光荷電システム５０は、制御ユニット５２と少なくとも２つの紫外線エミッタ７０を含んでいる。紫外線エミッタ７０は、それぞれフォーク１２に取り付けられたおよびバイクメインフレーム１１に取り付けられた、紫外線光放射蛍光管７４の形態をとる。上記で一般に説明されたように、メインフレーム１１および/またはフォーク１２に固定された、および/または、配送される適切なワイヤ５６は、蛍光管７４のオン／オフ状態を制御するために蛍光管７４を制御ユニット５２に接続する。理解されるように、フォーク１２と関連づけられた蛍光管７４は、前輪２０の左側面２０ａ上に紫外線光を照射し、他の蛍光管７４が後輪２０の左側面２０上にその紫外線を照射する。したがって、図８では、蛍光管７４、ワイヤ５６、およびスイッチ５４を含む燐光荷電システム５０は、自転車１０の２つの異なる車輪２０の同じ側面(例えば、左側面)に紫外線光を向ける。次に、車輪２０上の励起された領域は、車輪２０が回転するときに、それぞれ目に見える円を有利に形成する可視光を放射する。所望であれば、同様のアプローチは、メインフレーム１１/フォーク１２の反対側面(例えば、右側面)に取り入れられ得る。
【００２１】
図９は、各車輪２０が車輪２０上に紫外線光を放射するために２つの紫外線発光ダイオード７２を収容する、対応するユニット６６を持つ配置構成を示している。１つのユニット６６は、メインフレーム１１に取り付けられ、他のユニットはフォーク１２に取り付けられる。次に、２つのユニット６６は、ハンドル１４に取り付けられた制御ユニット５２によって制御される。ユニット６６は、それぞれ、フォーク１２あるいはメインフレーム１１に取り付けるためのプラスチック製ハウジングと、バッテリー６２と、受信機スイッチ５３とを含んでいる。さらに、制御ユニット５２は、送信機(図示せず)、バッテリー、およびスイッチ５４を含んでいる。作動スイッチ５４は、制御ユニット５２からユニット６６まで無線で送信されるべき信号を発生し、その信号は、受信機スイッチ５３によって受け取られ、対応する発光ダイオード７２に電気的に接続されるバッテリー６２を作動する。従って、図９の実施例は、概念的に蛍光管７４よりむしろ発光ダイオード７２を有する図８の実施例の無線電信バージョンである。
【００２２】
図１０は、前輪２０の１つの側面上のフォーク１２に取り付けられた複数の紫外線発光ダイオード７２と、後輪２０近くの自転車のメインフレーム１１に取り付けられた複数の紫外線発光ダイオード７２とを示している。電力は、上記説明されたように、供給されて制御される。したがって、図１０の実施例は、概念的に、図８の実施例と同様であるが、蛍光管７４よりむしろ２セットの発光ダイオード７２を有する。
【００２３】
図１１は、電源６０がバッテリー６２よりはむしろ発電機（dynamo）６４(当技術分野では場合によっては「発電機(generator)」と呼ばれる)である実施例を示しており、発光ダイオード７２は、フォーク１２に取り付けられたプラスチックハウジング６６中に含まれている。発電機６４は、当技術分野で知られている形態で磁場で移動して電力を発生させる。自転車１０の前方部分のみが図１１で示されていて、実施例の概念と同様の構成が後部部分に使用され得ることが理解される。いくつかの実施例では、前部と後部の両方の発電機６４はあり得るが、そのような構成の費用対効果はよくない。
【００２４】
図１２は、ベビーカー８０に対して使用される燐光荷電システム５０を示している。一般に、ベビーカーは、前部フレームチューブ８２、後部フレームチューブ８４、および下部フレームチューブ８６を含んでおり、それらは、一緒になって前輪２０と後輪２０を支える一般的な三角形形状(通常、三輪車構成)を形成する。この実施例では、燐光荷電システム５０は、ベビーカーのフェンダー８７内に含まれる複数の紫外線発光ダイオード７２と、プラスチック製ハウジング８９内に含まれ、ブラケットで下部フレームチューブ８６に連結されているる異なるセットの発光ダイオード７２を含んでいる。スイッチ５４とバッテリパック６２は、ハンドル８８に取り付けられ、スイッチ５４は、選択的に、一般的に上記説明されたように、発光ダイオード７４をバッテリパック６２に接続している。図１３の実施例は同様のアプローチを使用するが、バッテリパック６２に代わって発電機６４を使用し、対応する異なるワイヤを配線する構成を使用している。
【００２５】
上記議論された実施例は、燐光を発する車輪２０に紫外線光の形態で電磁エネルギーを照射する様々な手段を使用している。そのような車輪２０は、その側面２０ａ、２０ｂ上に燐光を発する物質を含んでおり、その物質は紫外線光による励起(または、「荷電（charge）」)を伴い、非反射的な方法で、時間がたつにつれて衰える強度を有する可視光を放射する。燐光を発する物質は、車輪２０の側面、特に、タイヤの側壁２０ａ、２０ｂに面する材料中に一体成形され得る、または、その上にコーティングされる、またはそこに接着剤ステッカーを介して付けられ得る。燐光を発する物質の例は、「硫化亜鉛」と「アルミン酸ストロンチウム」として当技術分野で知られている材料を含んでおり、それらは、天然色で燐光を発する、または、燐光を発する物質の技術分野で知られている方法を使用して変えられた色で燐光を発する。
【００２６】
本発明は、その用語が厳格な科学的意味で使用されるような唯一紫外線光を発するエミッタによって荷電することに限定していない。代わりに、エミッタ７０は、紫外線光と近紫外線(しかし目に見える)光を含み得る、広いスペクトルの光を発し得る。本明細書に使用されるように、用語の紫外線は、約４１０ｎｍから約１０ｎｍの波長を持つことを意味する。本明細書に使用されるように、用語の紫外線エミッタは、電磁波を放射し、その放射のかなりの部分が紫外線であるエミッタ(例えば、発光ダイオード、蛍光管、高強度放電ランプ、レーザなど)を意味する。非限定的な例として、紫外線エミッタは、１００〜４１０ｎｍの範囲、有利には３１５〜４０５ｎｍの範囲のピーク波長を有する発光ダイオードであり得る。
【００２７】
図１〜１３の実施例の種々の態様は、所望に応じて結合され得ることに注意するべきである。例えば、図１の実施例は、バッテリパック６２よりむしろ発電機ベースの電源６０を使用するように、および光センサ制御部５５などを含むように変更され得る。他の実施例は、様々な実施例の様々な技術を単独あるいは組み合わせて取り入れるために同様に変更され得る。また、燐光荷電システム５０のための電源６０は、乗り物１０、８０上の他の照明１００に電力を供給するために使用され得ることに注意するべきである。例えば、自転車１０は、さらに、自転車１０の側面、または、前部/後部の外側に向けられた、バッテリパック６２によって作動される可視光源１００を含み得る。これらの可視光源１００は、白熱電球、発光ダイオード、蛍光バルブ、高強度放電ランプ、およびレーザなどの適切な種類のものであり得る。
【００２８】
図１〜１３の例示の実施例は、人間が動かす乗り物(例えば、自転車１０、ベビーカーなど)の文脈中で使用されるものであった。しかしながら、いくつかの実施例では、その考えは、オートバイなどの内部に動力付きの乗り物に広げられ得る。図１４に関して、オートバイは、そのフォークの表面内に含まれる複数の紫外線発光ダイオードを含み得る。オートバイの前部を上げて走っているワイヤは、ハンドルに関連するスイッチに発光ダイオードを接続し得る。さらに、複数の紫外線発光ダイオードは、オートバイの後部スイングアームの表面内に含まれ得る。スイングアームとオートバイ本体に沿って走るワイヤは、発光ダイオードをスイッチに接続する。次に、スイッチは、オートバイのバッテリーまたは他の内部動力システムに接続されている。発光ダイオードは、それらの紫外線をそれぞれの燐光を発する車輪２０上に放射する。図１５は、発光ダイオードがオートバイのフェンダーの内側の曲がり内に配置された関連する実施例を示している。
【００２９】
本発明は、もちろん、本発明の本質的特質から逸脱することなしに、本明細書で説明されたもの以外の特定の方法で実施され得る。したがって、本実施例は、あらゆる点で例示として制限無しに考慮されるべきものであり、付属の特許請求の範囲の意味するものおよび均等範囲に含まれるすべての変化はその中に含まれるものと意図される。
【図面の簡単な説明】
【００３０】
【図１】紫外線光の放射構造を含む自転車フォークの正面図である。
【図２】ストラップを含む紫外線光の放射構造を含む自転車フォークの正面図である。
【図３】紫外線光の放射構造を含む自転車フェンダーの側面図である。
【図４】紫外線光の放射構造を含む自転車ブレーキキャリパの正面図である。
【図５】紫外線光の放射構造を含む自転車ブレーキブースターの正面図である。
【図６】紫外線光の放射構造を含む自転車ブレーキパッドハウジングの正面図である。
【図７】ブレーキポストハウジングポートを含む紫外線光の放射構造を含む自転車ブレーキポストの正面図である。
【図８】外部配線を使用する前部と後部の車輪の両方上に紫外線光の放射構造を含む自転車の側面図である。
【図９】前部と後部の車輪の両方上に無線で起動するスイッチを含む紫外線光の放射構造を含む自転車の側面図である。
【図１０】内部配線を用いて前部と後部の車輪の両方上に紫外線光の放射構造を含む自転車の側面図である。
【図１１】ダイナモ発電機を含む紫外線波の放射構造を含む自転車フォークの側面図である。
【図１２】紫外線波の放射構造を含むベビーカーの側面図である。
【図１３】ダイナモタイプの発電機を含む紫外線波の放射構造を含むベビーカーの側面図である。
【図１４】紫外線波の放射構造を含むオートバイの側面図である。
【図１５】紫外線波の放射構造を含むフェンダーを含むオートバイの側面図である。
【図１】
2009508762.tif 000003
【図２】
2009508762.tif 000004
【図３】
2009508762.tif 000005
【図４】
2009508762.tif 000006
【図５】
2009508762.tif 000007
【図６】
2009508762.tif 000008
【図７】
2009508762.tif 000009
【図８】
2009508762.tif 000010
【図９】
2009508762.tif 000011
【図１０】
2009508762.tif 000012
【図１１】
2009508762.tif 000013
【図１２】
2009508762.tif 000014
【図１３】
2009508762.tif 000015
【図１４】
2009508762.tif 000016
【図１５】
2009508762.tif 000017
【手続補正書】
【提出日】平成20年5月20日(2008.5.20)
【手続補正１】
【補正対象書類名】特許請求の範囲
【補正対象項目名】全文
【補正方法】変更
【補正の内容】
【特許請求の範囲】
【請求項１】
車輪の付いた乗り物であって、
フレームと、
燐光を発する第１および第２側面を有し、前記フレームに取り付けられた少なくとも１つの回転可能な車輪と、
前記フレームに接続され、前記燐光を発する第１および第２側面に電磁波を放射することによって、前記燐光を発する第１および第２側面を荷電するように適合されている燐光荷電システムと、
を有することを特徴とする車輪の付いた乗り物。
【請求項２】
前記燐光荷電システムは、
前記燐光を発する第１および第２側面に入射するように向けられた電磁波を放射することにより、前記燐光を発する第１および第２側面をそれぞれ荷電するように適合された第１と第２のエミッタと、
前記燐光荷電システムに電力を供給する手段と、
を有することを特徴とする請求項１に記載の車輪の付いた乗り物。
【請求項３】
前記燐光荷電システムは、電磁波放射が前記燐光を発する第１および第２側面に向くように前記フレームに接続された複数の発光ダイオードを含み、それにより前記燐光を発する第１および第２側面に電磁波放射が入射することを特徴とする請求項１に記載の車輪の付いた乗り物。
【請求項４】
前記燐光荷電システムは、前記フレームで支えられた、前記車輪に対して動くことができるエレメントに取り付けられたエミッタを含むことを特徴とする請求項１に記載の車輪の付いた乗り物。
【請求項５】
前記エレメントは、ブレーキパッドと、ブレーキキャリパと、ブレーキパッドポストとからなるグループから選択されることを特徴とする請求項４に記載の車輪の付いた乗り物。
【請求項６】
前記燐光荷電システムが、前記車輪のためのブレーキ用アセンブリの一部に取り付けられたエミッタを含むことを特徴とする請求項１に記載の車輪の付いた乗り物。
【請求項７】
前記一部がブレーキパッドと、ブレーキキャリパと、ブレーキブースターと、ブレーキパッドポストと、ブレーキパッドハウジングと、ブレーキポストとからなるグループから選択されることを特徴とする請求項６に記載の車輪の付いた乗り物。
【請求項８】
前記燐光荷電システムが、フェンダーと、フォークと、チェインガードと、スウィングアームと、ショックとからなるグループから選択された、車輪の付いた乗り物の部品に取り付けられたエミッタを有することを特徴とする請求項１に記載の車輪の付いた乗り物。
【請求項９】
更に、前記車輪から離れる方向に向けられた複数の外に光を放射する構造を有することを特徴とする請求項１に記載の車輪の付いた乗り物。
【請求項１０】
前記燐光荷電システムは、
前記燐光を発する第１および第２側面に紫外線をそれぞれ放射することによって、前記燐光を発する第１および第２側面を荷電するように適合された第１と第２の紫外線エミッタと、
前記燐光荷電システムに電力を供給するためのバッテリーと、
前記電力を供給する手段と前記第１および第２のエミッタとの間で電気的に接続して配置されたスイッチとを有し、
前記フレームは人間が動力を供給する乗り物のフレームであることを特徴とする請求項１に記載の車輪の付いた乗り物。
【請求項１１】
車輪の付いた乗り物であって、
フレームと、
それぞれがほぼ同じ方向に面している少なくとも１つの燐光を発する側面を有し、前記フレームに取り付けられた第１と第２の回転可能な車輪と、
前記フレームに接続され、前記第１と第２の回転可能な車輪に対して間隔を開けてそれぞれ配置されている第１と第２のエミッタを含む燐光荷電システムと、を有し、
前記第１のエミッタは、前記第１の車輪の前記燐光を発する側面に電磁波を放射することによって前記第１の車輪の前記燐光を発する側面を荷電するように配置され、
前記第２のエミッタは、前記第２の車輪の前記燐光を発する側面に電磁波を放射することによって前記第２の車輪の前記燐光を発する側面を荷電するように配置されることを特徴とする車輪の付いた乗り物。
【請求項１２】
前記第１と第２のエミッタは、複数の発光ダイオードを含むことを特徴とする請求項１１に記載の車輪の付いた乗り物。
【請求項１３】
車輪の付いた乗り物であって、
フレームと、
少なくとも第１の燐光を発する側面を有し、前記フレームに取り付けられた少なくとも１つの回転可能な車輪と、
前記フレームに操作可能に接続されたブレーキアセンブリとを有し、
前記ブレーキアセンブリが、
車輪に対して移動可能であり前記車輪の回転を遅らせるように操作可能な少なくとも１人のブレーキパッドと、
前記第１の燐光を発する側面を荷電して、それに続いて燐光を発生させるために、そこから放射された電磁波が前記車輪の前記第１の燐光を発する側面に向かうように配置されたエミッタと、
前記エミッタに電力を供給する手段とを有することを特徴とする車輪の付いた乗り物。
【請求項１４】
前記ブレーキアセンブリはさらに、ブレーキブースターエレメントを有し、前記エミッタは前記ブレーキブースターエレメント中に配置されていることを特徴とする請求項１３に記載の車輪の付いた乗り物。
【請求項１５】
前記ブレーキアセンブリはさらに、前記車輪に対して外側寄りに配置されたブレーキパッドポストを含み、前記エミッタは前記ブレーキパッドポストによって支えられていることを特徴とする請求項１３に記載の車輪の付いた乗り物。
【請求項１６】
前記エミッタは、前記ブレーキパッドとともに前記車輪に対して移動するように、機械的に前記ブレーキパッドに接続されていることを特徴とする請求項１３に記載の車輪の付いた乗り物。
【請求項１７】
前記エミッタが前記ブレーキパッド中に配置されていることを特徴とする請求項１６に記載の車輪の付いた乗り物。
【請求項１８】
車輪の付いた乗り物であって、
フレームと、
少なくとも第１の燐光を発する側面を有し、前記フレームに取り付けられた少なくとも１つの回転可能な車輪と、
前記車輪に近接する前記フレームに接続されたフェンダーアセンブリとを有し、
前記フェンダーアセンブリは、
前記第１の燐光を発する側面を荷電し、それに続いて燐光を発生するために、放射された電磁波が前記車輪の前記第１の燐光を発する側面に向かい、それによって前記車輪の前記第１の燐光を発する側面に入射するように配置されエミッタと、
前記エミッタに電力を供給する手段とを有することを特徴とする車輪の付いた乗り物。
【請求項１９】
更に、前記エミッタと前記エミッタに電力を供給する手段との間の連結を制御するための操作可能な光センサを有することを特徴とする請求項１８に記載の車輪の付いた乗り物。
【請求項２０】
前記燐光荷電システムは、前記車輪に対して間隔を開けて前記フレームに接続されていることを特徴とする請求項１に記載の車輪の付いた乗り物。
【請求項２１】
前記燐光荷電システムは、前記車輪に対して間隔を開けて前記フレームに接続されており、発生された光を前記燐光を発する第１および第２側面に向け、それにより前記燐光を発する第１および第２側面の両側面に光が直接入射することによって、前記燐光を発する第１および第２側面を荷電するように適合されていることを特徴とする請求項１に記載の車輪の付いた乗り物。
【手続補正２】
【補正対象書類名】図面
【補正対象項目名】図６
【補正方法】変更
【補正の内容】
【図６】
2009508762.tif 000018
【国際調査報告】
2009508762.tif 000019
2009508762.tif 000020